(57)【要約】【課題】キャビネット本体に収納され得る最大幅の収納物が、前面扉に阻害されることなく、容易に収納可能となされた収納キャビネットを提供する。【解決手段】前面部が開放された箱状のキャビネット本体１と、キャビネット本体１に一側部を回動可能に支持された第１の前面扉２と、第１の前面扉２の他側部に一側部を回動可能に支持された第２の前面扉３と、キャビネット本体１に設けられ第２の前面扉３の他側部をガイドするガイド溝４とを備え、第１の前面扉２の回動軸２ａは、キャビネット本体１の前端面よりも前方であって、かつ、キャビネット本体１の前面部の開放領域から側方に外れた位置に存在し、ガイド溝４は、キャビネット本体１の前端面に沿って形成された直線部分と第１の前面扉２のキャビネット本体１に対する回動軸２ａを中心とする円弧部分とが連続されて構成されている。【選択図】図１
2010065520.tif 000002
【特許請求の範囲】
【請求項１】
前面部が開放された箱状のキャビネット本体と、
前記キャビネット本体に、一側部を回動可能に支持された第１の前面扉と、
前記第１の前面扉の他側部に、一側部を回動可能に支持された第２の前面扉と、
前記キャビネット本体に設けられ、前記第２の前面扉の他側部をガイドするガイド溝と
を備え、
第１の前面扉の前記キャビネット本体に対する回動軸は、前記キャビネット本体の前端面よりも前方であって、かつ、このキャビネット本体の前面部の開放領域から側方に外れた位置に存在し、
前記ガイド溝は、前記キャビネット本体の前端面に沿って形成された直線部分と、前記第１の前面扉の前記キャビネット本体に対する回動軸を中心とする円弧部分とが連続されて構成されている
ことを特徴とする収納キャビネット。
【発明の詳細な説明】
【技術分野】
【０００１】
本発明は、食品、その他種々の物品を収納、保管するための収納キャビネットに関する。
【背景技術】
【０００２】
従来、食品、その他種々の物品を収納し、保管するに際しては、特許文献１に記載されているように、扉付の収納キャビネットが使用されている。このような収納キャビネットは、前面部が開放された箱状のキャビネット本体と、このキャビネット本体の前面部に取付けられた開閉可能の前面扉とを備えて構成されている。
【０００３】
このような収納キャビネットの前面扉は、扉の片側、または、両側に設けられたヒンジ部（蝶番）によってキャビネット本体に対して支持されており、前方側に開閉可能となっている。
【先行技術文献】
【特許文献】
【０００４】
【特許文献１】特開２００８−１８００５２公報
【発明の概要】
【発明が解決しようとする課題】
【０００５】
ところで、前述のような収納キャビネットにおいては、前面扉を全開状態としても、この前面扉は、キャビネット本体の前面部の前方に位置しており、また、この前面扉のヒンジ部によって支持された部分は、キャビネット本体の前面部の一部（側方部分）を閉塞していることになる。
【０００６】
すなわち、従来の収納キャビネットにおいては、前面扉を全開状態としても、キャビネット本体の前面部の全領域が開放されることはない。そのため、このような収納キャビネットにおいては、キャビネット本体の開放された前面部の幅にほぼ一致した幅を有する収納物は、前面扉が邪魔となって、キャビネット本体に収納することができない。
【０００７】
そこで、本発明は、前述の実情に鑑みて提案されるものであって、キャビネット本体に収納され得る最大幅の収納物が、前面扉に阻害されることなく、容易に収納可能となされた収納キャビネットを提供することを目的とする。
【課題を解決するための手段】
【０００８】
本発明に係る収納キャビネットは、前面部が開放された箱状のキャビネット本体と、キャビネット本体に一側部を回動可能に支持された第１の前面扉と、第１の前面扉の他側部に一側部を回動可能に支持された第２の前面扉と、キャビネット本体に設けられ第２の前面扉の他側部をガイドするガイド溝とを備え、第１の前面扉のキャビネット本体に対する回動軸は、キャビネット本体の前端面よりも前方であって、かつ、このキャビネット本体の前面部の開放領域から側方に外れた位置に存在し、ガイド溝は、キャビネット本体の前端面に沿って形成された直線部分と第１の前面扉のキャビネット本体に対する回動軸を中心とする円弧部分とが連続されて構成されていることを特徴とするものである。
【発明の効果】
【０００９】
本発明に係る収納キャビネットにおいては、第１の前面扉のキャビネット本体に対する回動軸は、キャビネット本体の前端面よりも前方であって、かつ、このキャビネット本体の前面部の開放領域から側方に外れた位置に存在するので、第１の前面扉を全開状態とすれば、キャビネット本体の前面部の全領域が開放され、キャビネット本体の開放された前面部の幅にほぼ一致した幅を有する収納物でも、前面扉に阻害されることなく、キャビネット本体に収納することができる。
【００１０】
また、この収納キャビネットにおいては、ガイド溝は、キャビネット本体の前端面に沿って形成された直線部分と、第１の前面扉のキャビネット本体に対する回動軸を中心とする円弧部分とが連続されて構成されているので、第１の前面扉を全開状態としたときに、第２の前面扉が第１の前面扉に重なり、これら第１及び第２の前面扉を重ねた状態で、キャビネット本体の側方まで回動させることができる。
【００１１】
すなわち、本発明は、キャビネット本体に収納され得る最大幅の収納物が、前面扉に阻害されることなく、容易に収納可能となされた収納キャビネットを提供することができるものである。
【図面の簡単な説明】
【００１２】
【図１】本発明に係る収納キャビネットの構成を示す斜視図である。
【図２】本発明に係る収納キャビネットの要部の構成を示す上面図である。
【図３】本発明に係る収納キャビネットにおいて、第１の前面扉を９０°開扉した状態を示す上面図である。
【図４】本発明に係る収納キャビネットにおいて、第１の前面扉を２７０°開扉した状態を示す上面図である。
【発明を実施するための形態】
【００１３】
以下、本発明に係る収納キャビネットの実施の形態について、図面を参照して説明する。
【００１４】
図１は、本発明に係る収納キャビネットの構成を示す斜視図である。
【００１５】
本発明に係る収納キャビネットは、図１に示すように、前面部が開放された箱状のキャビネット本体１を有している。そして、この収納キャビネットは、キャビネット本体１に一側部を回動可能に支持された左右一対の第１の前面扉２，２を有している。また、この収納キャビネットは、第１の前面扉２，２の他側部に一側部を回動可能に支持された左右一対の第２の前面扉３，３を有している。
【００１６】
なお、この実施の形態における収納キャビネットは、左右両開きの構成としているが、本発明に係る収納キャビネットは、第１及び第２の前面扉２，３をぞれぞれ１枚ずつ備えて、片開きの構成としてもよい。左右両開きの構成において、左右の第１の前面扉２，２及び左右の第２の前面扉３，３は、それぞれ左右対称の構成であるので、以下の説明においては、片側の第１及び第２の前面扉２，３について説明する。
【００１７】
図２は、本発明に係る収納キャビネットの要部の構成を示す上面図である。
【００１８】
この収納キャビネットにおいては、図２に示すように、第１の前面扉２のキャビネット本体１に対する回動軸１ａは、キャビネット本体１の前端面よりも前方であって、かつ、このキャビネット本体１の前面部の開放領域から側方に外れた位置に存在している。
【００１９】
また、この収納キャビネットは、図１及び図２に示すように、キャビネット本体１に設けられ第２の前面扉３の他側部をガイドするガイド溝４を有している。このガイド溝４は、キャビネット本体１の前端面上部の庇状に突出した天板部分の下面に設けられている。このガイド溝４には、第２の前面扉３の他側部の上側に突設されたガイドピン３ａが係合している。このガイドピン３ａは、ガイド溝４に沿って移動可能となっている。
【００２０】
ガイド溝４は、キャビネット本体１の前端面に沿って形成された直線部分と、第１の前面扉２のキャビネット本体１に対する回動軸２ａを中心とする円弧部分とが連続されて構成されている。すなわち、第２の前面扉３の他側部のガイドピン３ａは、第１の前面扉２が開扉されるとき、まず、キャビネット本体１の前端面に沿って移動し、次に、第１の前面扉２とともに、この第１の前面扉２の回動軸２ａを中心として円弧状に移動する。
【００２１】
図３は、本発明に係る収納キャビネットにおいて、第１の前面扉を９０°開扉した状態を示す上面図である。
【００２２】
この収納キャビネットにおいて、図３に示すように、矢印Ａで示すように、第２の前面扉３を９０°開扉すると、第２の前面扉３のガイドピン３ａは、図３中矢印Ｂで示すように、キャビネット本体１の前端面に沿って、回動軸２ａの近傍まで移動する。このとき、第１及び第２の前面扉２，３は、互いに重ねられた状態となる。
【００２３】
図４は、本発明に係る収納キャビネットにおいて、第１の前面扉を２７０°開扉した状態を示す上面図である。
【００２４】
次に、この収納キャビネットにおいて、図３に示すように、矢印Ｃで示すように、第２の前面扉３を２７０°開扉すると、第２の前面扉３のガイドピン３ａは、第１の前面扉２とともに、この第１の前面扉２の回動軸２ａを中心として円弧状に移動する。このとき、第１及び第２の前面扉２，３は、互いに重ねられた状態のままである。
【００２５】
このようにして、この収納キャビネットにおいては、第１の前面扉２を全開状態とすれば、キャビネット本体１の前面部の全領域が開放され、キャビネット本体１の開放された前面部の幅にほぼ一致した幅を有する収納物でも、各前面扉２，３に阻害されることなく、キャビネット本体１に収納することができる。なお、この収納キャビネットにおいては、第２の前面扉３を１８０°開扉した状態において、キャビネット本体１の前面部の全領域が開放される。
【００２６】
また、この収納キャビネットにおいては、第１の前面扉２を全開状態としたときに、第２の前面扉３が第１の前面扉２に重なった状態で、キャビネット本体１の側方まで回動させることができ、これら前面扉２，３が邪魔になることがない。
【００２７】
各前面扉２，３を閉扉するときには、前述した手順と逆に、第１の前面扉２を２７０°の開扉状態から、１８０°の開扉状態、９０°の開扉状態へと戻し、次に、図２に示すように、第１の前面扉２を閉扉することにより、第２の前面扉３も閉扉される。
【産業上の利用可能性】
【００２８】
本発明は、食品、その他種々の物品を収納、保管するための収納キャビネットに適用される。
【符号の説明】
【００２９】
１    キャビネット本体
２    第１の前面扉
２ａ  回動軸
３    第２の前面扉
３ａ  ガイドピン
４    ガイド溝
【図１】
2010065520.tif 000003
【図２】
2010065520.tif 000004
【図３】
2010065520.tif 000005
【図４】
2010065520.tif 000006